(57)【要約】【課題】ネジの保護のためにネジ頭に被着した保護キャップを容易にネジから取り外すことができる保護キャップ取り外し治具を提供する。【解決手段】ネジ頭に被着した保護キャップをネジから取り外す保護キャップ取り外し治具であって、上半部を把持部とした中空筒状の治具本体の下部外周面に、下端部が開閉自在の縦状の係合アームを複数装着すると共に、前記係合アームの下端部は略Ｌ字状の挟持爪として前記挟持爪の開閉作動により前記治具本体の下端開口部を絞りあるいは開放自在に構成し、前記治具本体の押下作動と前記挟持爪の開放作動との協働により、前記治具本体の前記下端開口部内にネジ頭に被着した保護キャップを挿入可能とすると共に、前記挟持爪の閉塞作動により前記治具本体の前記下端開口部に挿入した前記保護キャップの底部を持上げ可能とし、前記治具本体の持上げ作動により前記ネジ頭から前記保護キャップを持上げ抜去することができるように構成したことを特徴とする。【選択図】図１
2015051474.tif 000002
【特許請求の範囲】
【請求項１】
上半部を把持部とした中空筒状の治具本体の下部外周面に、下端部が開閉自在の縦状の係合アームを複数装着すると共に、
前記係合アームの下端部は略Ｌ字状の挟持爪として前記挟持爪の開閉作動により前記治具本体の下端開口部を絞りあるいは開放自在に構成し、
前記治具本体の押下作動と前記挟持爪の開放作動との協働により、
前記治具本体の前記下端開口部内にネジ頭に被着した保護キャップを挿入可能とすると共に、
前記挟持爪の閉塞作動により前記治具本体の前記下端開口部に挿入した前記保護キャップの底部を持上げ可能とし、
前記治具本体の持上げ作動により前記ネジ頭から前記保護キャップを持上げ抜去することができるように構成したことを特徴とする保護キャップ取り外し治具。
【請求項２】
前記係合アームの外周には弾性リンクを囲繞することにより前記係合アームを開閉自在に付勢することを特徴とする請求項１に記載の保護キャップ取り外し治具。
【請求項３】
前記治具本体の中空部は前記ネジ頭から抜去した前記保護キャップを下部から段積みして収納可能に構成したことを特徴とする請求項１または請求項２に記載の保護キャップ取り外し治具。
【請求項４】
前記治具本体の中空部は前記下中空部の内径が保護キャップの略外径とし、
その上方の上中空部の内径が下中空部の内径よりも更に大きくすることにより、
前記治具本体の前記中空部内に収納した抜去ずみの前記保護キャップの取出しを容易にしたことを特徴とする請求項３に記載の保護キャップ取り外し治具。
【発明の詳細な説明】
【技術分野】
【０００１】
本発明は、他部材に螺着するために予め形成されたネジの保護のために被着した保護キャップをネジから取り外すために用いられる保護キャップ取り外し治具に関する。
【背景技術】
【０００２】
従来、例えば自動車のエンジン周りで用いられるプーリユニット等においては、図８に示すように、プーリの軸芯からネジ（雄ネジ）を突出させた部品が用いられているが、ネジのネジ山を保護するため、ネジに例えばゴムや樹脂等の弾性材料からなる保護キャップを被せることが行われている。すなわち、自動車エンジンのタイミングベルトのテンションプーリとして機能するプーリユニットにおいては、内部に設けた転がり軸受（図示せず）を介してプーリ１０２をボルト軸１０３周りに回動自在に設けている。そして、エンジンブロック（図示せず）の所定の部位にボルト軸１０３を螺着固定することによりプーリユニット１０１をエンジン（図示せず）に一体に取り付けるように構成されている。このようなプーリユニット１０１は、プーリ１０２の軸芯からボルト軸１０３が外部に突出している。
【０００３】
このように転がり軸受を内部に備えたプーリユニット１０１は、ボルト軸１０３頭を突出した状態でエンジン周りの組立を行う組立工程に搬入される。この場合、プーリユニット１０１の製造現場から組立工程に搬入されるまでは、輸送コストを考慮して一つの搬送用ケース（包装箱）１２０に複数のプーリユニット１０１を収納している。すなわち、仕切板１２１で搬送用ケース１２０を格子状に仕切って多数の収納空間１２３を形成し、プーリユニットを各収納空間１２３にボルト軸１０３の突出頭を上方に向けた状態で収納し、次いで起立したボルト軸１０３の突出頭を挿通可能にした軸挿通孔１２４を多数穿設した整列板１２２を上方から被せて、ボルト軸１０３に形成されたネジ部１０４を軸挿通孔１２４から突出させて、プーリユニット１０１を収納空間１２３内に固定している。同時に、軸挿通孔１２４から突出したネジ部１０４が輸送時の振動等によって他のネジ部１０４等と接触して損傷が生じないように、突出したネジ部１０４の突出頭に樹脂製の保護キャップ１０５を被せる工夫がなされている。
【０００４】
そして、プーリユニット１０１をエンジン周りの組立で使用する際には、人手により保護キャップ１０５を取り外すものであるが、取り外し作業では、指の間に保護キャップ１０５の中途部を力をこめて把持するために、樹脂製の保護キャップ１０５の内壁にネジ山が食い込むため、ネジ部１０４から保護キャップ１０５を取り外すことが困難となる。従って、図９に示すように、ペンチ１１０を用いて保護キャップ１０５の頭部（凸部）１０６を挟持しつつ強制的に上方へ引き離す作業を行うことになる。このような作業は、所定時間内に多数の組立を行う組立工程においては非常に煩雑であり非効率となり、作業者の疲労も大きかった。
【０００５】
現状では、このような保護キャップ取り外し作業を簡易的に行う技術は開発されておらず、未だに上述のようにペンチ等の工具を用いた作業が行われているのが現状であった。
【０００６】
但し、この保護キャップ離脱作業の参考となる技術として部品保護のために突出部に被せられた被覆材を抜き取る技術が特許文献１に開示されている。例えば、特許文献１に記載の技術においては、ポンプの駆動軸からゴム製インペラーを抜去するために使用するゴム製インペラー取り外し治具に関する技術が開示されている。本技術は、中途部で枢支した二本のレバーの爪片間にゴム製インペラーを挟持して回転することによってゴム製インペラーの中途部にレバーの爪片を食い込ませながら上方へ抜去するものである。
【先行技術文献】
【特許文献】
【０００７】
【特許文献１】特開２００４−１０８３０５号公報
【発明の概要】
【発明が解決しようとする課題】
【０００８】
確かに、特許文献１に記載の技術は、部品に被せられた被覆材を抜去する技術としては、被覆材周辺の構造が複雑な場合、特に人手や工具を入れ難い複雑な形状のインペラー等を対象とする場合には有効な技術である。
【０００９】
しかしながら、特許文献１に記載の技術においては、ゴム製インペラーにより被覆するのはネジ山のない駆動軸であり、二本のレバーの爪片を回転によってゴム製インペラーの中途部に食い込ませながら上方へ引き上げても、駆動軸にネジ山がない技術であるためネジ山がゴム製インペラーの内壁に食い込むという上記課題を伴うことはない。従って、上述したボルト軸１０３に被覆した保護キャップ１０５の取り外しに有効に利用できるものではなかった。
【００１０】
また、特許文献１に記載の技術においては、ゴム製インペラーの取り外しの都度、工具のハンドル部を回転させる必要があり、所定時間内に多数の組立を行うには非効率であり作業者の疲労も大きい。
【００１１】
また、ペンチ等で保護キャップを取り外す場合も含めて、取り外した保護キャップは損傷を受けることになるため、保護キャップの再利用を図ることができない。
【００１２】
また、取り外した保護キャップは、取り外しの都度に所定の保管場所に収容しない限り組立工程内に保護キャップ１０５が散在するため作業効率の低下を招く。
【００１３】
本発明は、以上のような事情に鑑みてなされたものであり、ネジの保護のために被着した保護キャップを容易にネジから取り外すことができる保護キャップ取り外し治具を提供することにある。
【課題を解決するための手段】
【００１４】
以上のような目的を達成するために、本発明は以下のような保護キャップ取り外し治具を提供する。
【００１５】
請求項１に係る発明では、上半部を把持部とした中空筒状の治具本体の下部外周面に、下端部が開閉自在の縦状の係合アームを複数装着すると共に、前記係合アームの下端部は略Ｌ字状の挟持爪として前記挟持爪の開閉作動により前記治具本体の下端開口部を絞りあるいは開放自在に構成し、前記治具本体の押下作動と前記挟持爪の開放作動との協働により、前記治具本体の前記下端開口部内にネジ頭に被着した保護キャップを挿入可能とすると共に、前記挟持爪の閉塞作動により前記治具本体の前記下端開口部に挿入した前記保護キャップの底部を持上げ可能とし、前記治具本体の持上げ作動により前記ネジ頭から前記保護キャップを持上げ抜去することができるように構成したことを特徴とする保護キャップ取り外し治具。
【００１６】
請求項２に係る発明では、前記係合アームの外周には弾性リンクを囲繞することにより前記係合アームを開閉自在に付勢することを特徴とする請求項１に記載の保護キャップ取り外し治具。
【００１７】
請求項３に係る発明では、前記治具本体の中空部は前記ネジ頭から抜去した前記保護キャップを下部から段積みして収納可能に構成したことを特徴とする請求項１または請求項２に記載の保護キャップ取り外し治具。
【００１８】
請求項４に係る発明では、前記治具本体の中空部は前記下中空部の内径が保護キャップの略外径とし、その上方の上中空部の内径が下中空部の内径よりも更に大きくすることにより、前記治具本体の前記中空部内に収納した抜去ずみの前記保護キャップの取出しを容易にしたことを特徴とする請求項３に記載の保護キャップ取り外し治具。
【発明の効果】
【００１９】
本発明に係る保護キャップ取り外し治具によれば、ネジの保護のために被着した保護キャップを効率的に取り外すことができ、作業者の疲労を大幅に軽減させることができる。
【図面の簡単な説明】
【００２０】
【図１】本発明の実施形態に係る保護キャップ取り外し治具の斜視図である。
【図２】本発明の実施形態に係る保護キャップ取り外し治具の展開図である。
【図３】（ａ）は本発明の実施形態に係る保護キャップ取り外し治具の展開図であり、（ｂ）は断面図である。
【図４】本発明の実施形態に係る保護キャップ取り外し治具を用いた処理の流れの一例を示す図である。
【図５】本発明の実施形態に係る保護キャップ取り外し治具を用いて保護キャップを取り外す様子を順次示す図である。
【図６】本発明の実施形態に係る保護キャップ取り外し治具の中空部における保護キャップの様子を示す断面図である。
【図７】本発明の実施形態に係る保護キャップ取り外し治具の使用状態を示す図である。
【図８】保護キャップを有するプーリユニットとプーリユニットの収納状態の一例を示す図である。
【図９】工具を用いて保護キャップを取り外す従来の処理の様子を示す図である。
【発明を実施するための形態】
【００２１】
本発明は、例えば、自動車のエンジン周りで用いられるプーリユニットのボルト軸に形成されたネジ部を保護する保護キャップ等の取り外しに用いる治具である。すなわち、ネジの上方から保護キャップ取り外し治具を保護キャップに向けて押し込むことにより保護キャップと係合し、保護キャップ取り外し治具を上方へ移動させることで、ネジに被せられた保護キャップを効率的に持上げ取り外すことができ、作業者の疲労を大幅に軽減させようとするものである。
【００２２】
以下、本発明の一実施形態に係る保護キャップ取り外し治具１について図面を参照しながら説明する。
【００２３】
なお、本説明中の保護キャップ取り外し治具１における上下の関係は、本説明中で特に明示しない限り、図１（ａ）に示す通り下端開口部６を下側として説明する。また、保護キャップ取り外し治具１と保護キャップ１０５との関係についても、本説明中で特に明示しない限り、図５に示す通り保護キャップ取り外し治具１を上側、保護キャップ１０５を下側として説明する。
【００２４】
また、本説明中において、左右同一又は左右対称等の構造や部品については、原則として同一の符号を付し、左右何れか一方のみを説明して、他方については説明を適宜省略する。
【００２５】
図１（ａ）、（ｂ）、図２、図７に示すように、保護キャップ取り外し治具１は、上半部を把持部５とした中空筒状の治具本体２の下部外周面に、下端部が開閉自在の縦状の係合アーム３を複数装着すると共に、係合アーム３の下端部は略Ｌ字状の挟持爪８として挟持爪８の開閉作動により治具本体２の下端開口部６を絞りあるいは開放自在に構成し、治具本体２の押下作動と挟持爪８の開放作動との協働により、治具本体２の下端開口部６内にネジ頭１０９に被着した保護キャップ１０５を挿入可能とすると共に、挟持爪８の閉塞作動により治具本体２の下端開口部６に挿入した保護キャップ１０５の底部１０７を持上げ可能とし、治具本体２の持上げ作動によりネジ頭１０９から保護キャップ１０５を持上げ抜去することができるように構成している。
【００２６】
ここで、本実施形態に係る保護キャップ取り外し治具１が、取り外しの対象とする保護キャップ１０５を備えたプーリユニット１０１、保護キャップ１０５、及び搬送用ケース１２０について、図８を用いて説明する。
【００２７】
プーリユニット１０１は、自動車エンジンのタイミングベルト（図示せず）のテンションプーリとして機能するものであり、プーリ１０２とボルト軸１０３とを有し、プーリ１０２は、その内部に設けられた転がり軸受（図示せず）を介してボルト軸１０３周りに回動自在に設けられている。プーリユニット１０１は、エンジンブロック（図示せず）の所定の部位にボルト軸１０３先端に形成したネジ部１０４を螺着固定することでエンジン（図示せず）と一体に構成される。このようなプーリユニット１０１においては、プーリ１０２の一側からボルト軸１０３の一端側がネジ部１０４として外部に突出しており、このボルト軸１０３の突出部分のネジ部１０４にはネジ山が形成されている。
【００２８】
保護キャップ１０５は、ゴム等の弾性部材で形成されており、ボルト軸１０３のネジ部１０４に被着する一端開口の袋状に形成され、最大外径を開口側の底部１０７としている。なお、上部には製造上、取扱い上の理由により、つまみ片状の凸部１０６が形成されている。保護キャップ１０５の内径は、ネジ部１０４に密着状に被覆するように形成しており、ゴムの弾性特性を活かしてネジ部１０４のネジ頭１０９に保護キャップ１０５を被着する。また、凸部１０６の外径は保護キャップ１０５の内径よりも小さくすることにより、保護キャップ１０５を段積みする際に凸部１０６を上方の保護キャップ１０５空間内に挿入可能としている。
【００２９】
また、取り外しの対象とする保護キャップ１０５の形状は、本実施形態に限定されるものではなく、例えば、凸部１０６を有さない保護キャップ(図示せず)であっても本発明の要旨の範囲内である。
【００３０】
このように保護キャップ１０５を有するプーリユニット１０１は、一般的に矩形箱状の搬送用ケース１２０に収納される。具体的には、搬送用ケース１２０は、仕切板１２１で予め格子状に仕切って多数の収納空間１２３を形成し、プーリユニット１０１を各収納空間１２３にボルト軸１０３を上方に向けた状態で収納する。次いで整列板１２２を搬送用ケース１２０の上方開口部１２５に被せて、ボルト軸１０３に形成されたネジ部１０４を整列板１２２の軸挿通孔１２４から突出させるようにし、プーリユニット１０１を収納空間１２３内において収納固定した上で閉蓋する。
【００３１】
なお、本実施形態においては、プーリユニット１０１のボルト軸１０３に被せられた保護キャップ１０５の取り外しについて説明しているが、対象部品は本実施形態に限定されるものではなく、ネジ部１０４を形成する部分に被せられた保護キャップ１０５であれば、如何なる部品や部分であっても本発明の要旨の範囲内であることは言うまでもない。
【００３２】
次に、本実施形態に係る保護キャップ取り外し治具１の各部の構造について詳述する。
【００３３】
図１、図２、図３に示すように、治具本体２は中空筒状の外形を有し、係合アーム３は、治具本体２の下部外周面の周壁に係合アーム３形状に合わせて形成された第一嵌合溝１１に遊嵌されており、治具本体２に係合アーム３を遊嵌させるに際しては、治具本体２の外周面に横方向に形成した第一凹溝１６と係合アーム３の外側面に横方向に形成した第二凹溝１７とにより仮想環状の凹溝を形成し、この凹溝中に環状の弾性リング１３を嵌着することにより係合アーム３に対する付勢部４を構成して係合アーム３下端部の挟持爪８による治具本体２の下端開口部６の開閉作動を行う。
【００３４】
また、治具本体２は、内部に保護キャップ１０５を収容可能な中空部９を形成した両端開口の略円筒状に形成しており、一端を下端開口部６とし、他端を上端開口部７としている。また、治具本体２の上半部は把持部５としている。従って、保護キャップ取り外し治具１の使用の際には、図７に示すように、下端開口部６側を保護キャップ１０５の頭部に当てがう。
【００３５】
また、中空部９は、下部を下中空部２２とし、上部を上中空部２３とし、下中空部２２の内径は、保護キャップ１０５の底部１０７の略外径か、又は若干小さく形成し、上中空部２３の内径は、保護キャップ１０５の底部１０７の外径よりも若干大きく形成し、下中空部２２と上中空部２３との境目に段差を形成している。
【００３６】
なお、中空部９は、上述のように上・下中空部２２，２３を構成するが、中空部９の形状や大きさ等は本実施形態に限定されるものではなく、例えば、中空部９の全てを下中空部２２としてもよい。
【００３７】
また、本実施形態に係る治具本体２の外形は略円筒状としているが、治具本体２の外形は本実施形態に限定されるものではなく、例えば、中空であれば円錐台筒状や角パイプ状等、の筒状でもよい。
【００３８】
治具本体２の下端開口部６端面には、図２に示すように、第一嵌合溝１１の終端に略Ｌ字状に連通した第二嵌合溝１２を切欠している。具体的には、第二嵌合溝１２は治具本体２の下端開口部６の周壁端面を切欠した凹状に形成し、係合アーム３下端の挟持爪８を嵌着するようにしている。
【００３９】
また、第二嵌合溝１２を形成する対向した両側壁１４，１４と、その近傍の治具本体２の端面とで形成された角部の一部であって、下端開口部６周壁の対向する第一嵌合溝１１，１１の間には、案内テーパ１５，１５を形成している。案内テーパ１５は、保護キャップ１０５の受け入れを容易とするためのものである。
【００４０】
係合アーム３は、図２、図３（ａ）、（ｂ）に示すように、治具本体２の下部外周面の周壁に、下端部が開閉自在となるように縦状に装着される。また、係合アーム３は、治具本体２の第一嵌合溝１１に遊嵌する長片１８と、下端開口部６の開口の一部を覆う短片１９とで形成された略Ｌ字状の外形を有し、短片１９は保護キャップ１０５の底面１０８側から係合可能とするための係合面２１を内面に有する上述した挟持爪８を構成する。また、挟持爪８は治具本体２の下端開口部６を絞りあるいは開放自在となるように構成している。
【００４１】
また、対向した挟持爪８の先端部は、上方から下方に向けて拡開状となる傾斜をテーパ部２０として形成している。テーパ部２０は、下端の最大拡開径２６を少なくとも保護キャップ１０５の外径よりも大とし、上端の最小拡開径２７を少なくとも保護キャップ１０５の外径よりも小としている。なお、最大拡開径２６となる挟持爪８の箇所を最大拡開径部２８とし、最小拡開径２７となる挟持爪８の箇所を最小拡開径部２９としている。
【００４２】
以上説明したように本実施形態に係る保護キャップ取り外し治具１は構成されており、治具本体２の押下作動と挟持爪８の開放作動との協働により、治具本体２の下中空部２２内にネジ頭１０９に被着した保護キャップ１０５を挿入可能とすると共に、挟持爪８の閉塞作動により治具本体２の下中空部２２に挿入した保護キャップ１０５の底部１０７を持上げ可能とし、治具本体２の持上げ作動によりネジ頭１０９から保護キャップ１０５を抜去することができる。
【００４３】
なお、本実施形態に係る保護キャップ取り外し治具１は、弾性リング１３としてＯリング１３を使用し、Ｏリング１３を隣接して２個備えているが、弾性リング１３の種類や個数、配置箇所等は本実施形態に限定されるものではない。
【００４４】
次に、保護キャップ１０５の取り外しについての一連の処理の流れを図４、図５（ａ）乃至図５（ｄ）、及び図６に示しながら、各部の動作と機能を説明することで構造について更に詳述する。
【００４５】
まず、ボルト軸１０３のネジ部１０４が保護キャップ１０５によって略被覆されたプーリユニット１０１を準備する（ステップＳ１）。この場合、保護キャップ１０５が上方を向くように作業台（図示せず）上に載置する。処理すべきプーリユニット１０１が複数存在する場合には、全てのプーリユニット１０１の保護キャップ１０５が上方を向くようにして各々が隣接するようにして作業台上に載置する
【００４６】
なお、図７に示すような搬送用ケース１２０内に収納されたプーリユニット１０１の場合には、蓋（図示せず）を外した状態でそのまま作業を進めることができる。
【００４７】
次に、保護キャップ取り外し治具１の把持部５を下端開口部６が下側となるようにして把持する（ステップＳ２）。また、保護キャップ１０５を抜去する際にプーリユニット１０１自体が上方に移動しないよう略固定するために、保護キャップ取り外し治具１を把持していない側の手によって、プーリユニット１０１のプーリ１０２の上面（ボルト軸１０３側のプーリの側面、又は当該部分に相当する整列板１２２の上面）を上方から押圧する。
【００４８】
次に、取り外しの対象とするプーリユニット１０１の保護キャップ１０５に対して、下端開口部６を保護キャップ１０５の上方に位置させ、そのまま下方の保護キャップ１０５に向けて保護キャップ取り外し治具１を押し込む（図５（ａ）、図５（ｂ）、ステップＳ３）。保護キャップ取り外し治具１の押下作動により保護キャップ１０５が下端開口部６内に挿入される際に保護キャップ１０５は、係合アーム３の挟持爪８に形成されたテーパ部２０と治具本体２に形成された案内テーパ１５によって保護キャップ１０５の凸部１０６等が案内されつつ接触しながら、下端開口部６から中空部９に向かって挿入される。
【００４９】
具体的には、テーパ部２０は、対向した挟持爪８の先端部において上方から下方に向けて拡開状となる傾斜を形成しており、テーパ部２０の下端の最大拡開径２６は保護キャップ１０５の外径よりも大きく、上端の最小拡開径２７は保護キャップ１０５の外径よりも小さく形成されている。このように構成することにより、左右の挟持爪８の対向により形成したテーパ部２０は、治具本体２を保護キャップ１０５に向かって押し下げる際に、図５（ａ）に示すように、保護キャップ１０５の外周面がテーパ部２０の下端の最大拡開径部２８内に容易に挿入され、次いで更なる治具本体２の押し下げにより、左右の係合アーム３が拡開してテーパ部２０の上端の最小拡開径部２９を押し拡げながら、左右の挟持爪８間に保護キャップ１０５を狭着した状態となる（図５（ｂ）参照）。
【００５０】
また、付勢部４は、二つのＯリング１３が、治具本体２と係合アーム３の所定の箇所に隣接して平行に形成された仮想環状の第一・第二凹溝１６，１７に嵌着され付勢部４を構成しているため、係合アーム３の一端が治具本体２と一体となるように枢支連結されているような構造に比して係合アーム３の挟持爪８の絞り、又は開放作動の自由度が高い。すなわち、係合アーム３の外周に囲繞したＯリング１３により、治具本体２の外周方向で開閉自在としたので、係合アーム３の上端を治具本体２の外周壁に枢支して開閉させる構造に比し、特定の動作支点がなく、係合アーム３の動作にぶれや左右の係合アーム３の振幅動作に差が生じても、係合アーム３の拡開・縮閉動作が円滑に行われ、保護キャップ１０５のグリップを確実に行える。従って、保護キャップ取り外し治具１の下端開口部６側を保護キャップ１０５に挿入する際に、治具本体２の軸線方向とプーリユニット１０１のボルト軸１０３の軸線方向とが必ずしも正確な同一軸線中心上に一致していなくても、挟持爪８によって下端開口部６を絞り状態から開放状態へと変化させることができ、係合アーム３はＯリング１３の拡径状態が許容する範囲で柔軟に開閉可能となる。
【００５１】
なお、本実施形態に係る保護キャップ取り外し治具１においては、係合アーム３の上端部を治具本体２周壁に枢支連結して枢支部を中心に開閉作動する構造とすることにより、上記の仮想環状の第一・第二凹溝１６，１７にＯリングを嵌着した付勢部４の構造と同様の開閉作動をすることもできる。
【００５２】
また、付勢部４による付勢力に抗して保護キャップ１０５を治具本体２内に押し込むことで、挟持爪８は保護キャップ１０５の底面１０８よりも下方へ位置することになる。この場合、保護キャップ１０５全体が下端開口部６内に収まる（図５（ｃ））と共に、付勢力によって係合アーム３が再び閉状態に戻る閉塞作動となるため、挟持爪８を保護キャップ１０５の底部１０７に係合させることができる。
【００５３】
具体的には、治具本体２の更なる押し下げにより、左右の挟持爪８のテーパ部２０上端に形成した最小拡開径部２９が、保護キャップ１０５を通過してネジ部１０４に至り、保護キャップ１０５の底部１０７にまで到達し、保護キャップ１０５の底部１０７を下から支える状態となる。
【００５４】
次に、ボルト軸１０３から保護キャップ１０５を取り外すために、保護キャップ取り外し治具１をボルト軸１０３の略軸線方向であって保護キャップ１０５の上方に引上げる（図５（ｄ）、ステップＳ４）。この場合、挟持爪８の内面である係合面２１と保護キャップ１０５の底面１０８とが当接し、係合面２１が底面１０８を上方へ引き上げる押圧作用によってボルト軸１０３から保護キャップ１０５を抜去することができる。
【００５５】
ボルト軸１０３から引き離された保護キャップ１０５は、保護キャップ取り外し治具１の下中空部２２内に収容される。下中空部２２の内径は保護キャップ１０５の最大外径である底部１０７の略外径か、又は若干小さく形成されているため、取り外した保護キャップ１０５は、保護キャップ１０５の有する弾性特性により下中空部２２の壁面に付勢力を与えて下中空部２２内で保持された状態となる。
【００５６】
１つのプーリユニット１０１に対しては、上述した処理を行うことでボルト軸１０３から保護キャップ１０５を容易に取り外すことができる。更に保護キャップ１０５の取り外しの対象とするプーリユニット１０１が存在する場合には、ステップＳ３に戻ってステップＳ５までの一連の処理を繰り返す。この動作を繰り返すことにより、治具本体２内の中空部９には、抜去された保護キャップ１０５が段積み状態で次々に収納されていく。
【００５７】
すなわち、ステップＳ３においては、図６に示すように、既に取り外された保護キャップ１０５ａが下中空部２２内に保持されている。次に取り外すべき保護キャップ１０５ｂが下端開口部６から挿入された場合には、先の保護キャップ１０５ａの底部１０７側の開口から内部に向けて次の保護キャップ１０５ｂの凸部１０６が挿入され略係合しつつ、次の保護キャップ１０５ｂが先の保護キャップ１０５ａを上方へと押圧するため、先の保護キャップ１０５ａは下中空部２２内の上部へと移動する。従って、ステップＳ４にて次の保護キャップ１０５ｂがボルト軸１０３から取り外されると、先の保護キャップ１０５ａが当初位置していた中空部９の所定の位置に次の保護キャップ１０５ｂが入れ替わって保持されることになる。
【００５８】
本実施形態に係る保護キャップ取り外し治具１においては、下中空部２２の軸線方向の高さを保護キャップ１０５の略２個分の高さとしているため、３個目の保護キャップ１０５をボルト軸１０３から取り外した際には、最初の保護キャップ１０５ａは更に上方に移動して、上中空部２３に到達することになる。上中空部２３の内径は保護キャップ１０５の最大外径である底部１０７の外径よりも若干だけ大きく形成されているため、最初の保護キャップ１０５ａは上中空部２３内においては如何なる方向からの押圧も受けず自由な状態で上中空部２３に収容されることになる。
【００５９】
なお、本実施形態に係る保護キャップ取り外し治具１においては、上中空部２３に１６個の保護キャップ１０５を収容することができる。従って、複数の保護キャップ１０５を取り外している処理の途中で、保護キャップ取り外し治具１の上端開口部７側を下方に向ければ、上中空部２３に収容された複数の保護キャップ１０５は上中空部２３から順次落下させることができるので、取り外した保護キャップを容易に取り出すことができる。
【００６０】
ステップＳ３からステップＳ５までの処理を繰り返し、次に処理すべきプーリユニット１０１が存在しない場合には、保護キャップ取り外し作業の一連の処理を終了する。
【００６１】
また、下中空部２２に収容された保護キャップ１０５を取り出す際には、下端開口部６に挿入可能な棒状物（図示せず）等を下端開口部６側から内部に押し込んで、保護キャップ１０５を上中空部２３へと移動させた後、上端開口部７を下方へ向けることで保護キャップ１０５を取り出すことができる。
【００６２】
なお、本実施形態に係る保護キャップ取り外し治具１による保護キャップ１０５の取り外し方法については構造上、下方から上方に突出したボルト軸１０３を被覆した保護キャップ１０５のみを取り外しの対象とするものではない。例えば、建物の天井から床面方向に突出したボルト軸を被覆した保護キャップに対しては、下端開口部６を上方に向けて保護キャップ取り外し治具１を保護キャップ１０５に押し込むことで上述した方法と同様に保護キャップ１０５を取り外すことができる。この場合、取り外した保護キャップ１０５は、下方へ向いた該治具１の上端開口部７から床面に落下することになるため、上端開口部７に蓋（図示せず）を設けたり、袋状の収納部（図示せず）を上端開口部７近傍に配設したりすることが望ましい。
【００６３】
以上説明したように本実施形態に係る保護キャップ取り外し治具１は使用される。保護キャップ１０５の取り外しは、保護キャップ１０５の底面１０８を挟持爪８の係合面２１によって凸部１０６側に向けて略鉛直上方に押圧することで行われるものであることより、保護キャップ１０５の取り外しの際に保護キャップ１０５の中途部を挟持する必要がない。従って、ネジ山に保護キャップ１０５の内壁が食い込むことがなく、保護キャップ取り外し治具１の上下の動作だけで短時間に効率よく容易に保護キャップ１０５を取り外すことができる。また、保護キャップ１０５の取り外しに要する作業者の疲労も小さく、従来のようなペンチ１１０等の工具による作業に比して作業者の負担を大幅に軽減させることができる。
【００６４】
また、保護キャップ１０５を取り外す際に保護キャップ１０５を損傷することがないので保護キャップ１０５の再利用を図ることができ、環境的、経済的に有利となる。
【００６５】
また、取り外した保護キャップ１０５は、保護キャップ取り外し治具１の中空部９内に一定量を収容でき、収容された複数の保護キャップ１０５は、該治具１を上下逆向きにするだけで容易に取り出すことができる。従って、取り外した保護キャップ１０５は、保護キャップ１０５の取り外し作業中に作業負担となることなく容易に所定の保管場所に保管できると共に、作業場に保護キャップ１０５が散在することもないので高い作業効率を維持したまま作業を進めることができる。
【００６６】
以上、本発明の好ましい実施形態を説明したが、本発明は係る特定の実施形態に限定されるものではなく、例えば、係合アーム３が１個又は３個以上であってもよく、特許請求の範囲に記載された本発明の要旨の範囲内において、種々の変形・変更が可能である。
【符号の説明】
【００６７】
１  保護キャップ取り外し治具
２  治具本体
３  係合アーム
５  把持部
６  下端開口部
８  挟持爪
９  中空部
１３  弾性リング（Ｏリング）
２２  下中空部
２３  上中空部
１０５  保護キャップ
１０７  底部
１０９  ネジ頭
【図１】
2015051474.tif 000003
【図２】
2015051474.tif 000004
【図３】
2015051474.tif 000005
【図４】
2015051474.tif 000006
【図５】
2015051474.tif 000007
【図６】
2015051474.tif 000008
【図７】
2015051474.tif 000009
【図８】
2015051474.tif 000010
【図９】
2015051474.tif 000011